(57)【要約】【課題】半自動で化粧溶液の吐出及び遮断を自由に調節し、組み立て解体が容易で化粧溶液の補充・再充填使用が可能なようにする。【解決手段】内側胴体(10)と中間部材(20)と吐出誘導口(30)と外側胴体(40)とを備える。内側胴体(10)に、貫通孔(14)を形成した支持部(15)の上部にスプリング(16)が介在し、密閉短顎輪(17)を具備した垂直棒(18)を持つ垂直棒胴体(13)が安着される。中間部材(20)は、内側胴体(10)にねじ結合される結合部材(22)と、垂直棒(18)が差し込まれる内側孔(23)を形成した差し込み部(24)とが、円錐形弾性部(25)とで連結してある。吐出誘導口(30)は差し込み部(24)に差し込まれ、含湿体(34)を具備し、多数の吐出口(31)を持つ。外側胴体(40)は内側胴体(10)の外側に結合され、櫛胴体(50)が差し込まれる櫛胴体差し込み部(42)と、蓋(60)が結合される蓋差し込み部(43)を具備する。【選択図】図３
2007181675.tif 000002
【特許請求の範囲】
【請求項１】
貫通孔が形成された支持部の上部にスプリングが介在され、密閉短顎輪が具備された垂直棒を持つ垂直棒胴体が安着された内側胴体と；上記垂直棒胴体が安着された内側胴体の上部に結合部材によってねじ結合され、上記垂直棒が差し込まれる内側孔を形成した差し込み部がその結合部材に円錐形弾性部を介して連結構成されている中間部材と；上記中間部材を形成する差し込み部に差し込み安着され、含湿体を具備し、溶液を吐出させる多数の吐出口を持つ吐出誘導口と；上記内側胴体と中間部材及び吐出誘導口が結合された上部に結合され、櫛胴体差し込み部と蓋差し込み部が具備された外側胴体と；を備え、上記外側胴体の上部に形成された櫛胴体差し込み部には櫛刃が具備された櫛胴体が差し込み結合され、蓋差し込み部には蓋が結合構成されたことを特徴とする化粧用容器。
【発明の詳細な説明】
【技術分野】
【０００１】
本発明は、内側胴体をヘアブラシや櫛刃側に押してやることによって、上記内側胴体の上部にねじ結合された中間部材を構成する円錐形弾性部が圧縮されると同時に、上記内側胴体の中央部に垂直に立設された垂直棒が移動されて、内側孔が開放されながらヘアブラシ等側に一定量の化粧溶液が吐出されるようにした化粧用容器に関するもので、内側胴体を押してやることによって円錐形弾性部が圧縮されながら内側孔が開放されて化粧溶液をヘアブラシ等側に吐出させ、上記円錐形弾性部の膨張力と垂直棒の周囲部に差し込み形成されたスプリングの弾発力により内側胴体が下降して復帰することによって、垂直棒の周囲部に形成された密閉短顎輪により内側孔が閉鎖されて化粧溶液が吐出されないようにし、上記中間部材に形成された円錐形弾性部とスプリングによって半自動で化粧溶液の吐出及び遮断を自由に調節することができるようにしたもので、内側胴体と中間部材の組み立て解体が容易であり、内側胴体に収容された化粧溶液の消尽時に内側胴体を分離して開けることで、化粧溶液の補充や再充填使用が可能なようにしたものである。
【背景技術】
【０００２】
一般的に毛髪を染色する時には、染色薬を付けたブラシを利用して毛髪に一様に塗布した後に、櫛を利用して毛髪に櫛を入れて染色をしていた。しかしこれでは、染色薬を付けたブラシを利用して染色をするので、染色する方法もまた原始的でとても煩わしいだけでなく、染色する時間が多くかかる欠点があった。
【０００３】
また、染色薬を付けたブラシを使用するので、染色の途中に染色薬がはねて服やその他周辺にある物件等に付いて汚染させるなどの問題点があった。
【０００４】
従ってこのような欠点を解消するためのものとして、従来、図９及び図１０に示した様な毛髪染色用櫛(1)が提案されたことがある。この毛髪染色用櫛(1)の構成は、弾力性を持つと同時に外周面に加圧突条部(12)が具備され、液状の染色薬が入っている容器(10)と；上記容器(10)の主出口(11)にねじ結合されると同時に、櫛本体(30)が一体に固定設置される蓋(20)及び；上記櫛本体(30)の内部に上記容器(10)から供給される染色薬誘導のための排出管路(35)を形成すると同時に、一端部に突設された多数の櫛刃(36)の間に形成される吐出孔(34)とこの排出管路(35)とを相互連通するように形成したものであり、単純に容器(10)に入っている液状の染色薬を櫛本体(30)側に吐出させるようにして染色をするようにしたものである。
【０００５】
しかし上記のような従来の毛髪染色用櫛(1)は、容器(10)内に入っている染色薬が貫通孔(23)を通じて、直接櫛本体(30)に形成された吐出孔(34)に吐出される構造であり、染色薬の吐出量を調節することができず、毛髪染色を均一にすることができない欠点があり、また別途の蓋が具備されておらず、容器(10)を逆にした場合には染色薬が濡れ出て周辺の物件に付着して汚染される心配があり、携帯するのが困難な欠点がある。
【発明の開示】
【発明が解決しようとする課題】
【０００６】
本発明は上記のような従来の欠点を解決しようとするもので、内側胴体を押してやる事で円錐形弾性部が圧縮されながら内側孔が開放されて化粧溶液を吐出させ、上記円錐形弾性部の膨張力と垂直棒の周囲部に差し込み形成されたスプリングの弾発力によって内側胴体が下降して復帰することによって、垂直棒の上端周囲部に形成された密閉短顎輪により内側孔が閉鎖されて化粧溶液の吐出を停止し、中間部材に形成された上記円錐形弾性部とスプリングによって半自動で化粧溶液の吐出及び遮断を自由に調節することができるようにしたもので、内側胴体と中間部材の組み立て解体が容易で内側胴体に収容された化粧溶液の消尽時に内側胴体を分離して開けて化粧溶液を補充して再充填使用が可能な化粧用容器を提供しようとするものである。
【課題を解決するための手段】
【０００７】
本発明は上記の課題を解決するため、例えば本発明の実施の形態を示す図１から図８に基づいて説明すると、次のように構成したものである。
即ち、本発明は化粧用容器に関し、貫通孔(14)が形成された支持部(15)の上部にスプリング(16)が介在され、密閉短顎輪(17)が具備された垂直棒(18)を持つ垂直棒胴体(13)が安着された内側胴体(10)と；上記垂直棒胴体(13)が安着された内側胴体(10)の上部に結合部材(22)によってねじ結合され、上記垂直棒(18)が差し込まれる内側孔(23)を形成した差し込み部(24)がその結合部材(22)に円錐形弾性部(25)を介して連結構成されている中間部材(20)と；上記中間部材(20)を形成する差し込み部(24)に差し込み安着され、含湿体(34)を具備し、溶液を吐出させる多数の吐出口(31)を持つ吐出誘導口(30)と；上記内側胴体(10)と中間部材(20)及び吐出誘導口(30)が結合された上部に結合され、櫛胴体差し込み部(42)と蓋差し込み部(43)が具備された外側胴体(40)と；を備え、上記外側胴体(40)の上部に形成された櫛胴体差し込み部(42)には櫛刃(51)が具備された櫛胴体(50)が差し込み結合され、蓋差し込み部(43)には蓋(60)が結合構成されたことを特徴とする。
【０００８】
上記の様に構成された化粧用容器は、内側胴体(10)を押してやることに依って円錐形弾性部(25)が圧縮されながら内側孔(23)が開放され、液状の化粧溶液が吐出誘導口(30)を通じてヘアブラシ(33)側に吐出される。また、上記円錐形弾性部(25)の膨張力と垂直棒(18)の周囲部に差し込み形成されたスプリング(16)の弾発力により内側胴体(10)が下降して復帰することによって、垂直棒(18)の上部に形成された密閉短顎輪(17)により内側孔(23)が閉鎖されて化粧溶液の吐出が停止される。即ち、上記結合部材(22)に形成された円錐形弾性部(25)とスプリング(16)によって、半自動で化粧溶液の吐出及び遮断が自由に調節することができる。
【発明の効果】
【０００９】
以上のように本発明は、内側胴体を押すことによって円錐形弾性部が圧縮されながら内側孔が開放されて化粧溶液をヘアブラシ側に吐出させ、上記円錐形弾性部の膨張力と垂直棒の周囲部に差し込み形成されたスプリングの弾発力により内側胴体が下降して復帰することによって、垂直棒の周囲部に形成された密閉短顎輪により内側孔が閉鎖されて化粧溶液の吐出を停止することができ、従って上記結合部材に形成された円錐形弾性部とスプリングによって半自動で化粧溶液の吐出及び遮断を自由に調節することができる。しかも、内側胴体と結合部材の組み立て解体が容易であり、内側胴体に収容された化粧溶液の消尽時に内側胴体を分離して開けて、化粧溶液を補充し再充填使用することが可能である。
【発明を実施するための最良の形態】
【００１０】
以下、添付された図面を参考してもう少し詳しく説明すれば次のようである。
図１から図４は本発明の実施形態を示し、図１は本発明の蓋を開けて見せた斜視図、図２は本発明の分離斜視図、図３は本発明の結合断面図、図４は本発明の内側胴体を押し上げた状態の断面図を示したものである。
【００１１】
図１乃至図４に示したように、内側胴体(10)の内側には溶液を収容する収容部(11)が形成され、上部外側周囲部には外側ねじ部(12)が形成される。
上記の内側胴体(10)の上部に形成された外側ねじ部(12)には、中間部材(20)がねじ結合される。この中間部材(20)は、上記外側ねじ部(12)にねじ結合される結合部材(22)と、内側孔(23)が形成された差し込み部(24)とが、円錐形弾性部(25)を介して互いに連結されて構成される。
【００１２】
上記ねじ結合された内側胴体(10)と中間部材(20)の間には垂直棒胴体(13)が安着され、この垂直棒胴体(13)は、貫通孔(14)が形成された支持部(15)と、その上部に介在させたスプリング(16)と、上部に密閉短顎輪(17)が具備された垂直棒(18)とを有する。そして上記垂直棒胴体(13)に形成した垂直棒(18)が、上記の中間部材(20)を構成する差し込み部(24)の中央に形成された内側孔(23)に差し込み結合される。
【００１３】
このとき、上記の垂直棒(18)の上部に形成された密閉短顎輪(17)は、図３に示したように、上記の内側孔(23)に位置してこれを密閉でき、上記スプリング(16)は内側孔(23)の下端部に支持されて常に弾発しながら内側胴体(10)を押していることになる。
【００１４】
一方、上記の中間部材(20)を構成する差し込み部(24)の内側には、多数の吐出口(31)が形成された吐出誘導口(30)が差し込み安着される。また上記吐出誘導口(30)の上部には、スポンジのように液状の物質をよく吸収する含湿体(34)を内設したヘアブラシ(33)が設置される。
【００１５】
上記の様に内側胴体(10)と中間部材(20)及び、含湿体(34)が内設されたヘアブラシ(33)が設置され結合されている吐出誘導口(30)の上部に、櫛胴体差し込み部(42)と蓋差し込み部(43)とが形成された外側胴体(40)が差し込み結合される。上記外側胴体(40)の上部に形成された櫛胴体差し込み部(42)には、櫛刃(51)が具備された櫛胴体(50)が差し込み結合され、蓋差し込み部(43)には蓋(60)が結合されて、本発明の化粧用容器(1)が構成される。
【００１６】
以上のように構成された本発明の化粧用容器は、次のように作用し操作される。
図２に示したように、上記化粧用容器(1)は、平常時には内側胴体(10)の下端部に力を加えない状態にあり、外側胴体(4)の内側で内側胴体(10)が下降されており、上記外側胴体(40)の上部に蓋(60)が結合されて閉じられた状態をしている。
【００１７】
また、上記内側胴体(10)の上端部には垂直棒胴体(13)が安着され、中間部材(20)を構成する結合部材(22)がねじ結合されており、上記垂直棒胴体(13)の垂直棒(18)は、上記中間部材(20)の中央内側に形成された内側孔(23)を貫通している。このとき、上記垂直棒(18)の上端部に形成された密閉短顎輪(17)は、上記内側孔(23)を閉鎖した状態にある。
【００１８】
上記の様に垂直棒(18)の密閉短顎輪(17)により内側孔(23)が密閉された状態で、内側胴体(10)の下端部を押すと、結合部材(22)の下部に形成された円錘形弾性部(25)が圧縮されながら、内側胴体(10)が外側胴体(40)の内部を上昇移動する。
【００１９】
上記の様に内側胴体(10)が上昇すると、図４に示すように、垂直棒(18)に形成されて内側孔(23)を閉鎖していた密閉短顎輪(17)が上記内側孔(23)から離脱して内側孔(23)が開放され、上記垂直棒(18)の周囲部に介在されたスプリング(16)が圧縮された状態になる。
【００２０】
このように内側孔(23)が開放された状態で、本発明の容器(1)を逆にすると、内側胴体(10)の収容部(11)に収容された液状の化粧品、例えば毛髪染色薬が内側孔(23)を経って吐出誘導口(30)側に移動し、多数の吐出口(31)を通じて含湿体(34)に吐出される。
【００２１】
上記の含湿体(34)に吐出されて含湿された液状の化粧品は、ヘアブラシ(33)で適定量が付けられ、これにより、上記ヘアブラシ(33)と櫛胴体(50)に形成された櫛刃(51)を利用して毛髪染色のような化粧をすることができるようになる。
【００２２】
上記の化粧が終わった後、内側胴体(10)を押していた力を解除させる。これにより、結合部材(22)の上部に形成された円錐形弾性部(25)が膨張しながら内側胴体(10)が下降し、垂直棒(18)も一緒に下降しながら密閉短顎輪(17)が内側孔(23)を閉鎖する。この結果、収容部(11)に収容された化粧溶液が内側孔(23)を通じて吐出されるのを防止し、未使用時に化粧溶液が漏れ出るのを防止する。
【００２３】
一方、上記垂直棒(18)の周囲部に介在されたスプリング(16)は、常に弾発する性質によって、円錐形弾性部(25)が膨張しながら内側胴体(10)を下降させるのを手伝い、内側胴体(10)が元の状態に容易に復帰するように手伝う。
【００２４】
従って上記の様に構成結合された本発明は、内側胴体(10)の押えと解除によって、結合部材(22)の上部に連結形成された円錐形弾性部(25)を膨張及び圧縮させ、これにより内側胴体(10)の上部に差し込み安着された垂直棒(18)の密閉短顎輪(17)が内側孔(23)を開閉するようにしたもので、化粧(染色)をするために内側胴体(1)を押せば内側孔(23)が開放されるようにして化粧溶液の吐出を容易にし、内側胴体(10)に加えた力を解除すれば内側孔(23)が自然に閉鎖されるようにする。
【００２５】
また、上記の内側胴体(10)と結合部材(22)はねじ結合してあるので、組み立て解体が容易であり、内側胴体(10)に収容された化粧溶液の消尽時に内側胴体(10)を分離して開けて化粧溶液を補充して再充填使用が可能である。
なお、上記の図面では、便宜上、ヘアブラシ(33)部分が上方に向かった状態で図示して説明しているが、実際の使用時には、通常、ヘアブラシ(33)部分が下方に向かうようにして使用するものである。
【００２６】
図５乃至図８は本発明の別の実施形態を示したもので、溶液を収容する収容部(11)を持つ内側胴体(10)と；上記内側胴体(10)の上部にねじ結合される中間部材(20)と；上記収容部(11)に収容された溶液を吐出する多数の吐出口(31)を持つ吐出誘導口(30)とが具備された、外側胴体(40)と結合して構成された化粧用容器(1)において、上記外側胴体(40a)の上部に櫛胴体差し込み部(42a)が形成され、上記櫛胴体差し込み部(42a)に含湿体(34a)が内設され、吐出孔(52)及び水平櫛刃(51a)が具備された円筒形櫛胴体(50a)が差し込まれて結合構成されたことを特徴とするものである。
【００２７】
上記の様に、水平櫛刃(51)が具備された円筒形櫛胴体(50a)に差し込み結合された化粧用容器(1a)は、容器を逆にすることによって、内側胴体(10)の収容部(11)に収容された液状の化粧品、例えば毛髪染色薬が、内側孔(23)を経って吐出誘導口(30)側に移動し、多数の吐出口(31)を通じて、円筒形櫛胴体(50a)の内部に内設された含湿体(34a)に吐出されて含湿される。
【００２８】
このように含湿体(34a)に吐出されて含湿された液状の化粧品は、吐出孔(52)を通じて適正量が吐出され、水平櫛刃(51a)を利用して毛髪染色のような化粧に使用される。上記の化粧用容器(1a)のその他の構成は、上記の実施形態と同様であり、同様の作用及び効果を示すので、具体的な説明は省略する。
【図面の簡単な説明】
【００２９】
【図１】本発明の実施形態を示す、蓋を開けて見せた状態の、化粧用容器の斜視図である。
【図２】実施形態の、化粧用容器の分離斜視図である。
【図３】実施形態の、化粧用容器の結合断面図である。
【図４】実施形態の、内側胴体を押し上げた状態の化粧用容器の断面図である。
【図５】本発明の別の実施形態の、蓋を開けて見せた状態の、化粧用容器の斜視図である。
【図６】別実施形態の、化粧用容器の分離斜視図である。
【図７】別実施形態の、化粧用容器の結合断面図である。
【図８】別実施形態の、化粧用容器の内側胴体を押し上げた状態の断面図である。
【図９】従来の化粧用容器の分離斜視図である。
【図１０】従来の化粧用容器の結合断面図である。
【符号の説明】
【００３０】
1         化粧用容器
10        内側胴体
11        収容部
12        外側ねじ部
13        垂直棒胴体
14        貫通孔
15        支持部
16        スプリング
17        密閉短顎輪
18        垂直棒
20        中間部材
22        結合部材
23        内側孔
24        差し込み部
25        円錐形弾性部
30        吐出誘導口
31        吐出口
33        ヘアブラシ
34、34a   含湿体
40、40a   外側胴体
42、42a   櫛胴体差し込み部
43        蓋差し込み部
50、50a   櫛胴体
51        櫛刃
51a       水平櫛刃
52        吐出孔
60        蓋
【図１】
2007181675.tif 000003
【図２】
2007181675.tif 000004
【図３】
2007181675.tif 000005
【図４】
2007181675.tif 000006
【図５】
2007181675.tif 000007
【図６】
2007181675.tif 000008
【図７】
2007181675.tif 000009
【図８】
2007181675.tif 000010
【図９】
2007181675.tif 000011
【図１０】
2007181675.tif 000012